(57)【要約】      （修正有）【課題】従来より小型で製造の工程を簡略にできるコンセント付のトランスを提供する。【解決手段】重ねられた複数の鉄芯２と、重ねられた鉄芯２の束２０に捲回するコイル３ａ，３ｂと、鉄心２を重ねた状態に固定する結束部材４と、結束部材４へ取り付けられた少なくとも２つ端子台５ａ、５ｂとを備え、端子台５ａ、５ｂの１つは少なくとも入力側である一次側端子を備え、一次側端子から入力された電気を変圧して二次側へ出力するトランスであって、配線用差込接続器６を結束部材４へ取り付けることにて、トランス１の二次側に配線用差込接続器６を設けたものを提供する。【選択図】図１
0003199006.tif 000002
【実用新案登録請求の範囲】
【請求項１】
重ねられた複数の鉄芯と、重ねられた前記鉄芯の束に捲回する一次側及び二次側のコイルと、重ねられた複数の鉄芯を結束する結束部材とを備え、一次側から入力された電気を変圧して二次側へ出力するトランスにおいて、
配線用差込接続器を前記結束部材へ取り付けることにて、トランスの二次側に前記配線用差込接続器を設けたものであることを特徴とするトランス。
【請求項２】
前記一次側へ設けられた一次側端子と、前記二次側へ設けられた二次側端子とを備え、
前記結束部材は、前記鉄心の束の内部に前記鉄心の重ね方向へ沿って通される軸部と、前記軸部に設けられ且つ鉄心の前記重ね方向を前後方向として前記鉄心の束の前面側と後面側に配置される座面部の夫々と、ガイドとを備え、
前記座面部の少なくとも一方は、前記軸部と別体に形成され前記軸部の一端に取り付けられて、他の一方の座面部と共に前記鉄心の束を挟むものであり、
前記ガイドは、前記軸部に貫通されて少なくとも前記座面部の１つと前記鉄心の束との間に固定されることにより、前記鉄心の束の前面側又は後面側へ配置されるものであり、
前記二次側へアースを備え、前記二次側端子として、目的電圧の電気を出力する少なくとも一つの出力端子と、０ボルト端子とを備え、
前記配線用差込接続器は、前記二次側端子と別に設けられ且つ差込プラグと接続可能なコンセントであり、
前記コンセントは、２つの導電極と１つの接地極とを備えた三芯のコンセントであり、
コンセントの前記導電極の一方はトランスの前記出力端子へブレーカを介して電気的に接続され、
前記導電極の他の一方はトランスの前記０ボルト端子へ電気的に接続され、
コンセントの前記接地極はトランスの前記アースへ電気的に接続され、
前記ガイドへ前記コンセントを取り付けることにより、前記コンセントは前記鉄心の束の前面側又は後面側へ配置されるものであることを特徴とする請求項１記載のトランス。
【請求項３】
前記一次側端子が設けられた一次側の端子台と、前記二次側端子が設けられた二次側の端子台とを備え、前記端子台の夫々は、トランスと別体に形成されたものであり、前記端子台の夫々は、前記ガイドを通す挿通部位を備え、
前記トランスと別体に形成されたコンセント台を備え、前記コンセント台に前記コンセントが設けられており、前記コンセント台は前記ガイドを通す挿通部を備え、
前記重ねられた鉄心の束を貫通し結束部材の前記軸部を挿通することができる貫通孔を互いの間隔を開けて少なくとも２つ備え、
前記軸部には雄螺子が設けられ、軸部と別体に形成された前記座面部には雌螺子が設けられ、前記雌螺子を軸部の前記雄螺子へ螺合することにより、軸部と別体に形成された前記座面部を前記軸部へ取り付けることができ、
前記ガイドは少なくとも２つ備えられて夫々鉄心の束の前記前面側と後面側とへ配置され、
前記ガイドは、板状のレールであり、前記ガイドは、前記ガイドの長手方向について互いの間隔を開けて設けられた少なくとも２つの貫通穴を備え、
更に、前記ガイドには、前記ガイドと別体或いは前記ガイドと一体に形成されたスペーサが備えられ、
前記貫通孔と共に前記貫通穴の夫々へ締結部材の前記軸部を通して軸部と別体の前記座面部を前記軸部へ螺合するものであり、
前記螺合に際して、前記各座面部と前記鉄心の束との間へ前記スペーサを介し、前記スペーサと前記鉄心の束との間へ前記ガイドを介することにより、前記ガイドは、前記鉄心の束と間隔を開けて配置されるものであり、
前記螺合に際して、前記挿通部位へ前記ガイドを通すことにより各端子台は前記各ガイドへ取り付けられ、前記挿通部へ前記ガイドを通すことにより前記コンセント台も前記ガイドの一方へ取り付けられて、前記コンセント台及び前記端子台は、鉄心の前記前面側又は前記後面側へ配置されることを特徴とする請求項２記載のトランス。
【請求項４】
前記２つの貫通孔同士は、前記鉄心の重ね方向と交差する横方向について互いの間隔を開けて設けられ、
前記ガイドは、前記鉄心の束へ取り付けられることにより、前記鉄心の重ね方向と交差する横方向を長手方向とするものであり、
コンセントの前記一方の導電極と前記ブレーカとを電気的に接続する第１の導線と、前記他の一方の導電極と前記０ボルト端子とを電気的に接続する第２の導線とを備え、
前記第１の導線と前記第２の導線の２つの導線の間へ前記コンセントと並列に、発光ダイオードと、前記第１の導線側から前記前記第２の導線側へ向け電流を流す整流子とが接続され、前記発光ダイオードは、前記整流子に対し前記第１の導線側へ前記整流子と直列に接続され、
前記コンセント台は、少なくとも上面部と左右の側面部と背面部とを備え、前記コンセント台は、前記左右の側面部間に収容室を備え且つ当該収容室へ前記コンセントと前記ブレーカと前記発光ダイオードと前記整流子とを収容するユニットであり、
前記挿通部は、前記背面部の下端に設けられて左右方向に伸び左右の側面部にて左右に開放された溝、若しくは、前記背面部内を左右方向に貫通する穴であり、前記挿通部の当該溝又は穴を構成する内壁が、コンセント台の前記収容室と前記挿通部とを画するものであり、
前記コンセント台は、前記左側面部及び前記右側面部間の幅を、前記端子台の少なくとも１つと共に前記ガイドの前記貫通穴間へ配置することができるものとし、
コンセント台の前記上面部には、前記コンセントを嵌め込む嵌込口と、前記ブレーカを取り付ける取付口と、前記発光ダイオードを収容し且つ前記発光ダイオードの光を前記コンセント台の外部へ放つ窓口とが設けられ、
前記コンセントを前記嵌込口へ嵌め込み、前記ブレーカを前記取付口へ取り付け、前記発光ダイオードを前記窓口へ収容することにより、前記上面部を集約部として少なくとも前記コンセントと前記ブレーカと前記発光ダイオードとをコンセント台の前記上面側へ集約させたことを特徴とする請求項３記載のトランス。
【考案の詳細な説明】
【技術分野】
【０００１】
本考案は、トランスの改良に関するものである。
【背景技術】
【０００２】
通常制御盤や計装盤などにおいては、例えば２０年以上前では、シーケンサーやインバータなどについて１００Ｖ（ボルト）仕様しかなかったため、２００Ｖの主電源に対してトランスが必ず必要であった。
具体的には図５（Ｂ）へ示す通り、２００Ｖの電源ａからコンセントｆにて１００Ｖの電気を供給する場合、点線で囲むように、例えば制御盤内において、１次ブレーカｂの後に、トランスｃと、トランスｃとは別に２次ブレーカｄと通電を示す照明ｅ（ランプ）とを配設する必要があった。
このため、制御盤に、ブレーカやコンセント、電線などの配線材料を別々に設ける手間や、当該各器材やトランスの配線工程の削減や、これらの機材の配置の省スペース化が望まれた。
また現在では、シーケンサーやインバータのメンテナンス時にシーケンサーやインバータへノートパソコン（パーソナルコンピュータ）を接続してデータをチェックすることが多々あり、このような場合に、上記主電源の電圧を１００Ｖ電圧に変換してノートパソコンに供給する手軽なサービスコンセントが切望された。また、チェックの結果に応じて上記メンテナンスのため、半田ごてや電動工具などを使用したい場合も、上記１００Ｖ電圧のサービスコンセントが切望されるものであった。
一方遊技場や家庭で用いられるトランスとして、特許文献１〜３へ示すものが提案されている。
【０００３】
特許文献１には、電源トランスの軽量コンパクト化を図るため、筒型ケース５内にトロイダル型のトランス本体６を収納し、ケース５とトランス本体６の隙間Ｇには充填剤７を充填するものとし、充填剤７はトランス本体６と筒型ケース５を一体に密着固定しかつトランス本体６の全外周面を漏れなく覆うモールド部Ａを形成するものとし、充填剤７からなるモールド部Ａはトランス本体６の熱をケース５側に放出する放熱手段としても機能するものとし、トランス本体６の一次側コイル６０１には主電力供給ライン３を介して商用電力を供給し、トランス本体６の二次側コイル６０２には出力コンセント部１０を接続するものが示されている（要約及び図１）。
具体的には、特許文献１には、リング状の鉄心に一次側および二次側コイルを巻装してなるトロイダル型のトランス本体、このトランス本体を収納する筒型ケースと、上記トランス本体と筒型ケースとの隙間に充填されかつトランス本体と筒型ケースを一体に密着固定する充填剤と、上記一次側コイルに外部電力を供給する主電力供給ラインと、上記二次側コイルに生じた二次電力を出力する出力コンセント部とからなることを特徴とする電源トランスが示され（請求項１）、更に筒型ケースの外側に設けられるとともに出力コンセント部に対し並列に接続された端子部を備える出力端子台と、この出力端子台を筒型ケースの表面に着脱自在に取り付ける取付手段とを具備する電源トランスが示され（請求項２）、筒型ケースに可搬用取手を備える電源トランスが示されている（請求項３）。
【０００４】
また、特許文献２には、商用電源の差込コンセントに接続可能なプラグ部と、電気機器のプラグを接続可能なコンセント部と、を有し、商用電源からプラグ部を介して供給される入力電圧を主単巻トランスにより定格電圧に変換し、変換した定格電圧をコンセント部を介して電気機器へ供給する電圧変換回路と、上記商用電源から供給された入力電圧を整流して出力する整流回路と、上記整流回路から出力された電圧を平滑して直流電圧を出力する平滑回路と、を収容する第１ のケーシングを有し、上記第１ のケーシングの一の面には、上記主単巻トランスの直列巻線の一端に接続された第１ の親器接続端子と、上記直列巻線の他端及び上記主単巻トランスの分路巻線の一端に接続された第２ の親器接続端子と、上記分路巻線の他端に接続された第３ の親器接続端子と、を有する携帯用親器ユニットと、上記プラグ部、上記コンセント部、上記整流回路及び上記平滑回路を有さず、内部に増設単巻トランスが収容されるとともに、上記第１ のケーシングの一の面に第１ジョイント面が載置可能に構成された第２ のケーシングを有し、上記第２ のケーシングの第１ ジョイント面には、上記増設単巻トランスの直列巻線の一端に接続された第１ の子器接続端子と、この直列巻線の他端及び上記増設単巻トランスの分路巻線の一端に接続された第２ の子器接続端子と、この分路巻線の他端に接続された第３ の子器接続端子と、を有する携帯用子器ユニットと、から成り、  上記携帯用親器ユニットと上記携帯用子器ユニットとは、上記第１ のケーシングの一の面に上記第２ のケーシングの第１ ジョイント面を載置すると上記第１ の親器接続端子と上記第１ の子器接続端子とが、上記第２ の親器接続端子と上記第２ の子器接続端子とが、上記第３ の親器接続端子と上記第３ の子器接続端子とが、それぞれ電気的に接続され得る携帯用変圧器が示され（請求項１）、更に、上記携帯用親器ユニットは、上記主単巻トランスにタップが接続されているとともに、上記タップの接点を２ ０ ０ Ｖ 系用接点あるいは１ ０ ０ Ｖ 系用接点に切り換えるリレー駆動回路を有する携帯用変圧器が示され（請求項２ ）、上記携帯用親器ユニットは、上記リレー駆動回路による上記タップの接点切換状況に応じて点灯するランプを有する携帯用変圧器が示され（請求項３ ）、上記携帯用子器ユニットは、複数個から構成されているとともに、上記携帯用子器ユニットのそれぞれは、上記第１ ジョイント面の裏面側に位置する第２ ジョイント面に、上記増設単巻トランスの直列巻線の一端に接続される第１ の増設接続端子と、この直列巻線の他端及び上記増設単巻トランスの分路巻線の一端に接続される第２ の増設接続端子と、この分路巻線の他端に接続される第３ の増設接続端子と、を有し、上記携帯用子器ユニット同士は、上記第２ ジョイント面に上記第１ ジョイント面を載置すると、上記第１ の子器接続端子と上記第１ の増設接続端子とが、上記第２ の子器接続端子と上記第２ の増設接続端子とが、上記第３ の子器接続端子と上記第３ の増設接続端子とが、それぞれ電気的に接続され得る携帯用変圧器が提案されている（請求項４）。
【０００５】
更に特許文献３には、単相単巻変圧器３１と２個の三極用コンセント１５，２６及び１個の三極用プラグ２２と単相用プラグ１３とを有するユニット１０にして、前記単相用プラグ１３の各端子を一方の三極用コンセント１５の中点端子１７を除く二端子に各々接続し、他方の三極用コンセント２６は中点端子２７を変圧器３１の中間タップ３５と三極用プラグ２２の中点端子に、該三極用コンセント２６の残る二端子は各々一次巻線の両端である共通タップ３３及び一次側専用タップ３７とにそれぞれ接続したものが示されており、その効果として三極用プラグを電源回路の三極用コンセントに挿入すれば単一ユニットで通常の単相単巻変圧器として使用可能で、同一規格のユニットを複数個用いる場合、各ユニットの三極用プラグを他のユニットの内部回路に設けた三極用コンセントに挿入接続するのみで、変圧器の極性を常に一致させた状態として一次側及び二次側を並列に接続でき、極めて容易に変圧器を並列とし電流容量を倍増できる旨記載されている（要約）。
【先行技術文献】
【特許文献】
【０００６】
【特許文献１】実開平７−２７１３３号公報
【特許文献２】特許第３７４９９１２号公報
【特許文献３】実開平７−３１２３号公報
【考案の概要】
【考案が解決しようとする課題】
【０００７】
本考案の考案者は、上記各文献のトランスに満足するものではなく、更にコンセントを備えたトランスのコンパクト化を図れないか鋭意研究を重ねた。
例えば特許文献１のトランスは、図５（Ｂ）へ示す旧来の機材における上記問題の改善は見られるものの、トランス全体を筒型ケース５で覆い筒型ケース５へ出力コンセント部１０を設けたものであり、筒型ケース５がトランス全体を嵩高なものとしている（図１〜５）。特に、その図４へ示す筒型ケース６には、出力端子台１２も設けられているが、筒型ケース６は充填剤７を収容する必要からトランス本体６全体を内包せざるを得ず、このようなケースを必要とする特許文献１のトランスにおいて、これ以上の小型化は望めない。
【０００８】
また特許文献２へ示された携帯用変圧器（トランス）も、携帯用親器ユニツトに携帯用子器ユニットを接続することにより、主単巻トランス及び増設単巻トランスと並列接続して電力容量を簡易に増やすことを可能とするものであるが、トランス夫々についてトランス全体を夫々のケースに完全に内包させ当該ケースへコンセントを設けたものであり、このようなケースを用いずにコンセントを設けて個々のトランスをより簡便且つよりコンパクトに形成しようとするものではない。
【０００９】
特許文献３へ示されたトランスのユニットも、特許文献２に示されたトランスと同様トランス全体をユニット１０のケースに完全に内包させ、当該ケースにコンセントを設けるものであり、ケースに頼らずにトランスをより簡便に且つよりコンパクトに形成しようとするものではない。
本考案は、上記課題の解決を図るものである。
【課題を解決するための手段】
【００１０】
本考案は、重ねられた複数の鉄芯と、重ねられた前記鉄芯の束に捲回する一次側及び二次側のコイルと、重ねられた複数の鉄芯を結束する結束部材とを備え、一次側から入力された電気を変圧して二次側へ出力するトランスにおいて、配線用差込接続器を前記結束部材へ取り付けることにて、トランスの二次側に前記配線用差込接続器を設けたものを提供する。
また、本考案は、前記一次側へ設けられた一次側端子と、前記二次側へ設けられた二次側端子とを備え、前記結束部材は、前記鉄心の束の内部に前記鉄心の重ね方向へ沿って通される軸部と、前記軸部に設けられ且つ鉄心の前記重ね方向を前後方向として前記鉄心の束の前面側と後面側に配置される座面部の夫々と、ガイドとを備え、前記座面部の少なくとも一方は、前記軸部と別体に形成され前記軸部の一端に取り付けられて、他の一方の座面部と共に前記鉄心の束を挟むものであり、前記ガイドは、前記軸部に貫通されて少なくとも前記座面部の１つと前記鉄心の束との間に固定されることにより、前記鉄心の束の前面側又は後面側へ配置されるものであり、前記二次側へアースを備え、前記二次側端子として、目的電圧の電気を出力する少なくとも一つの出力端子と、０ボルト端子とを備え、前記配線用差込接続器は、前記二次側端子と別に設けられ且つ差込プラグと接続可能なコンセントであり、前記コンセントは、２つの導電極と１つの接地極とを備えた三芯のコンセントであり、コンセントの前記導電極の一方はトランスの前記出力端子へブレーカを介して電気的に接続され、前記導電極の他の一方はトランスの前記０ボルト端子へ電気的に接続され、コンセントの前記接地極はトランスの前記アースへ電気的に接続され、前記ガイドへ前記コンセントを取り付けることにより、前記コンセントは前記鉄心の束の前面側又は後面側へ配置されたトランスを提供できた。
更に本考案は、前記一次側端子が設けられた一次側の端子台と、前記二次側端子が設けられた二次側の端子台とを備え、前記端子台の夫々は、トランスと別体に形成されたものであり、前記端子台の夫々は、前記ガイドを通す挿通部位を備え、前記トランスと別体に形成されたコンセント台を備え、前記コンセント台に前記コンセントが設けられており、前記コンセント台は前記ガイドを通す挿通部を備え、前記重ねられた鉄心の束を貫通し結束部材の前記軸部を挿通することができる貫通孔を互いの間隔を開けて少なくとも２つ備え、前記軸部には雄螺子が設けられ、軸部と別体に形成された前記座面部には雌螺子が設けられ、前記雌螺子を軸部の前記雄螺子へ螺合することにより、軸部と別体に形成された前記座面部を前記軸部へ取り付けることができ、前記ガイドは少なくとも２つ備えられて夫々鉄心の束の前記前面側と後面側とへ配置され、前記ガイドは、板状のレールであり、前記ガイドは、前記ガイドの長手方向について互いの間隔を開けて設けられた少なくとも２つの貫通穴を備え、更に、前記ガイドには、前記ガイドと別体或いは前記ガイドと一体に形成されたスペーサが備えられ、前記貫通孔と共に前記貫通穴の夫々へ締結部材の前記軸部を通して軸部と別体の前記座面部を前記軸部へ螺合するものであり、前記螺合に際して、前記各座面部と前記鉄心の束との間へ前記スペーサを介し、前記スペーサと前記鉄心の束との間へ前記ガイドを介することにより、前記ガイドは、前記鉄心の束と間隔を開けて配置されるものであり、前記螺合に際して、前記挿通部位へ前記ガイドを通すことにより各端子台は前記各ガイドへ取り付けられ、前記挿通部へ前記ガイドを通すことにより前記コンセント台も前記ガイドの一方へ取り付けられて、前記コンセント台及び前記端子台は、鉄心の前記前面側又は前記後面側へ配置されるトランスを提供できた。
本考案では、前記２つの貫通孔同士は、前記鉄心の重ね方向と交差する横方向について互いの間隔を開けて設けられ、前記ガイドは、前記鉄心の束へ取り付けられることにより、前記鉄心の重ね方向と交差する横方向を長手方向とするものであり、コンセントの前記一方の導電極と前記ブレーカとを電気的に接続する第１の導線と、前記他の一方の導電極と前記０ボルト端子とを電気的に接続する第２の導線とを備え、前記第１の導線と前記第２の導線の２つの導線の間へ前記コンセントと並列に、発光ダイオードと、前記第１の導線側から前記前記第２の導線側へ向け電流を流す整流子とが接続され、前記発光ダイオードは、前記整流子に対し前記第１の導線側へ前記整流子と直列に接続され、前記コンセント台は、少なくとも上面部と左右の側面部と背面部とを備え、前記コンセント台は、前記左右の側面部間に収容室を備え且つ当該収容室へ前記コンセントと前記ブレーカと前記発光ダイオードと前記整流子とを収容するユニットであり、前記挿通部は、前記背面部の下端に設けられて左右方向に伸び左右の側面部にて左右に開放された溝、若しくは、前記背面部内を左右方向に貫通する穴であり、前記挿通部の当該溝又は穴を構成する内壁が、コンセント台の前記収容室と前記挿通部とを画するものであり、前記コンセント台は、前記左側面部及び前記右側面部間の幅を、前記端子台の少なくとも１つと共に前記ガイドの前記貫通穴間へ配置することができるものとし、コンセント台の前記上面部には、前記コンセントを嵌め込む嵌込口と、前記ブレーカを取り付ける取付口と、前記発光ダイオードを収容し且つ前記発光ダイオードの光を前記コンセント台の外部へ放つ窓口とが設けられ、前記コンセントを前記嵌込口へ嵌め込み、前記ブレーカを前記取付口へ取り付け、前記発光ダイオードを前記窓口へ収容することにより、前記上面部を集約部として少なくとも前記コンセントと前記ブレーカと前記発光ダイオードとをコンセント台の前記上面側へ集約させたトランスを提供できた。
【考案の効果】
【００１１】
本考案は、鉄心へ固定する結束部材を利用して配線用差込接続機をトランスに設けることにより、配線用差込接続機をトランスに設けるためにトランス全体を覆うケースを不要とした。従って、同じ能力を備えた他のコンセント付トランスに比べて、より小型のトランスを提供できる。
特にスペースの問題なく、コンセントを備えない旧来の同一容量のトランスと置き換えて利用することができる。
また、トランス全体を覆う上記ケースを不要としたことから、鉄心やコイルの放熱のための充填材といった放熱手段も不要である。
更に締結部材のガイドへ端子台と共にコンセントを取り付けることができ、製造も簡単で嵩の増大をより効果的に抑制できた。締結部材は鉄心の束の前記前面又は後面へ配置された上記ガイドにてコンセントを鉄心の束の前記前面又は後面へ支持するものであるため、トランスは鉄心の束の少なくとも左右側面を開放でき、より効果的に放熱が行えるのである。
特に、ブレーカや発光ダイオードなどの必要なものをコンセントと共にコンセント台へユニット化してトランスの一部分に組み込むものであるため、トランスの肥大防止をより効果的に実現できた。また、製造工程において、当該ユニットを取り付けるだけで、個々の機材の配線を要することなくトランスへコンセントとその周辺の機器を取り付けることができる。また、上記ユニットの取り付けは、重ねた鉄心の固定の工程の一部にて行え、より一層製造工程を簡略化できた。
また、トランス全体を覆うケースが不要な分コストも抑えることができる。更にトランス全体を覆うケースを排除することにより、トランスの構成全体を当該ケースへ組み込む手間も必要ない。
【００１２】
そして、本考案では、コンセントやブレーカ、発光ダイオードを収容する収容室と、コンセント台にガイドを通す挿通部とが画され、コンセントやブレーカ、発光ダイオードと、ガイドとの接触を阻止することができる。このため、ガイドを挿通部へ通した際に、当該接触による物理的或いは電気的なトラブルを避けることができる。
【図面の簡単な説明】
【００１３】
【図１】本考案の一実施の形態に係るトランスの斜視図。
【図２】（Ａ）は図１のトランスの平面図、（Ｂ）は（Ａ）のトランスの組み立て状態を示す分解平面図。
【図３】（Ａ）は図１のトランスの結束部材への 端子台の取付け状態を示す要部分解斜視図、（Ｂ）は（Ａ）の結束部材へコンセント台を取り付ける状態を示す要部分解斜視図。
【図４】（Ａ）はコンセント台６０の平面図、（Ｂ）は（Ａ）の正面図、（Ｃ）は（Ａ）の底面図、（Ｄ）は（Ａ）の右側面図、（Ｅ）は（Ａ）のＸ−Ｘ端面図、（Ｆ）は（Ａ）のＹ−Ｙ端面図、（Ｇ）は（Ａ）のＺ−Ｚ端面図、（Ｈ）は（Ａ）のＷ−Ｗ端面図、（Ｉ）は（Ｈ）へ示すコンセント台６０へコンセントとブレーカと発光ダイオードとを取り付けた状態を示す断面図、（Ｊ）は（Ｇ）に示すコンセント台６０へブレーカを取り付けた状態を示す端面図。
【図５】（Ａ）は本考案のトランスの一実施の形態に係る回路図、（Ｂ）は従来のトランス周辺の回路図。
【考案を実施するための形態】
【００１４】
以下、図面に基づき本願考案の実施の形態を説明する。
（基本構成）
この考案に係るトランス１は、一次側から入力された電気を変圧して二次側へ出力するものであり、図１及び図５（Ａ）へ示す通り、鉄芯２の束２０と、一次側及び二次側のコイル３ａ，３ｂと、結束部材４と、一次側の端子台５ａと、二次側の端子台５ｂと、配線用差込接続器６とを備える。
以下このトランス１の各部の構成を順に説明する。
【００１５】
（鉄心２及びコイル３ａ，３ｂ）
鉄心２には、誘導電流が流れる周知の部材を採用する。即ち鉄心２は、鉄製の板状体であり、複数の鉄心２が重ねられて上記束２０にされる。図５（Ａ）へ示す通り、当該束２０には、トランス１の一次側と二次側の上記コイル３ａ，３ｂの夫々が捲回される。図１及び図２へ示す通り、当該束２０は、重ねられた鉄心２同士が分離しないように、上記結束部材４にて締結される。
鉄心２の束２０には、複数の鉄心２の重ね方向に沿って当該束２０を貫通する貫通孔２１が設けられている（図２）。図２へ示す通り、説明の便宜上、鉄心２の上記重ね方向を前後方向Ｆ，Ｂとし、当該重ね方向と直交する横方向を左右方向Ｌ，Ｒとする。
図１及び図２へ示す通り、この例では、貫通孔２１は、鉄心２の束２０の４か所に設けられており、そのうち２つの貫通孔２１は、他の２つ貫通孔２１よりも上方へ設けられている。ここでは、当該上方の２つの貫通孔２１を上方貫通孔子２１と呼び、他の２つの貫通孔２１を下方貫通孔２１と呼ぶ。
上方貫通孔子２１同士は、前記横方向即ち左右方向Ｌ，Ｒについて互いの間隔を開けて設けられている。下方貫通孔２１同士も、前記横方向即ち左右方向Ｌ，Ｒについて互いの間隔を開けて設けられている。
一次側のコイル３ａが電源（図示しない。）と接続され、一次側のコイル３ａへ電流が流れることにより、電磁誘導にて鉄心２の束２０に誘導電流が生じ、二次側のコイル３ｂに目的の電圧に変圧された電流が発生する。
【００１６】
図５（Ａ）へ示す通り、一次側のコイル３ａには上記電源と接続される一次側端子３ｍ即ち入力端子が設けられ、二次側のコイル３ｂには、目的とする電圧の電気の供給を受ける機材と接続される二次側端子３ｎ即ち出力端子が設けられる。また、二次側には、上記出力端子以外にアース５３ｂが設けられている。
この例では、一次側のコイル３ａには、前記一次側端子３ｍとして、２００Ｖ（ボルト）電圧の電流の入力端子３１ａと、２２０Ｖ電圧の電流の入力端子３２ａと、一次側の０Ｖ電圧端子３０ａとが、コイル３ａの夫々の電圧に対応する巻数の位置へ接続され、前記２００Ｖと２２０Ｖの各電圧の電源の何れかから選択して電気の供給を受けることができる。
二次側のコイル３ｂには、前記二次側端子３ｎとして、１００Ｖ電圧の電流の出力端子３１ｂと、１１０Ｖ電圧の電流の出力端子３２ｂと、二次側の０Ｖ電圧端子３０ｂとが、コイル３ｂの夫々の電圧に対応する巻数の位置へ接続されている。
【００１７】
但し、接続する電源を選択する必要がない場合、上記入力端子３１ａ，３２ａのうち当該電源と対応する入力端子のみ一次側コイル３ａへ設けるものとし他の入力端子は省くことができる。例えば、０Ｖ電圧端子３０ａと２００Ｖ電圧の入力端子３１ａとのみ設けるものとし、２２０Ｖ電圧の入力端子３２ａを省くことができる。勿論、上記と逆に２２０Ｖ電圧の入力端子３２ａを残し２００Ｖ電圧の入力端子３１ａを省くものとしても実施できる。２００Ｖ電圧の入力端子３１ａを第１の入力端子とし、２２０Ｖ電圧の入力端子３２ａを第２の入力端子として、更に他の電圧の第３の入力端子を一次側のコイル３ａへ設けるものとしても実施できる。
また、二次側においても目的とする電圧を選択する必要がない場合は、上記出力端子３１ｂ，３２ｂのうち目的の出力端子のみ二次側コイル３ｂへ設けるものとし他の入力端子は省くことができる。例えば、０Ｖ電圧端子３０ｂと１００Ｖ電圧の出力端子３１ｂとのみ設けるものとし、１１０Ｖ電圧の出力端子３２ｂを省くことができる。勿論、上記と逆に１１０Ｖ電圧の出力端子３２ｂを残し１００Ｖ電圧の出力端子３１ｂを省くものとしても実施できる。１００Ｖ電圧の出力端子３１ｂを第１の出力端子とし、１１０Ｖ電圧の出力端子３２ｂを第２の出力端子として、更に他の電圧の電流を出力する第３の出力端子を二次側のコイル３ｂへ設けるものとしても実施できる。
尚、上記入力側及び出力側の電圧の数値は例示であり、目的に応じ上記以外の数値に電圧を設定することができる。
【００１８】
（結束部材４）
図１及び図２へ示す通り、結束部材４は、重ねられて束２０とされた複数の上記鉄芯２同士を分離しないように結束する。
コイル３ａ，３ｂが捲回され結束部材４にて締結された鉄心２の束において、図１へ示す通り、コイル３ａ，３ｂを捲回されていない部位のほぼ全体が露出するものであり、変圧によって生じする熱を外気へ直接発散することができる。
具体的には、結束部材４は、上方締結部材４０ａと、下方締結部材４０ｂと、上方及び下方締結部材４０ａ，４０ｂと別体に形成されたガイド４７と、上方及び下方締結部材４０ａ，４０ｂと別体に形成されたベース４８とを備える。
この例では上方締結部材４０ａと下方締結部材４０ｂとは同様の構成を採るので、上方締結部材４０ａを締結部材４０とし代表して説明する。
【００１９】
締結部材４０は、雄螺子部材４１と、雄螺子部材４１と別体に形成された雌螺子部材４２ととからなる。雄螺子部材４１は、雄螺子が形成された軸部４３と、軸部４３の一端に設けられた座面部４４とからなる。この座面部４４は、軸部４３と一体に形成され、座面を備える。雄螺子部材４１と雌螺子部材４２とは金属製の部材である。雄螺子部材４１には座面部４４として頭部を備えた周知のネジ又はボルトを採用することができる。前記雌螺子部４２は、雌螺子が形成された筒部４５と筒部の一端に設けられた座面部（以下副座面部４６と呼ぶ。）とを備える。副座面部４６は筒部４５と一体に形成され、座面を備える。この例では、副座面部４６は、外径が筒部４５の外径よりも大きな大径部である。但し、雌螺子部４２には筒部４５を備えないナットなどの周知の部材を採用することができる。
雌螺子部４２の筒部４５を鉄心２の束２０の上記貫通孔２１へ通すと共に当該貫通孔２１の反対側から雄螺子部材４１の軸部４３を鉄心２の束２０の上記貫通孔２１へ通して、軸部４３の雄螺子を筒部４５の雌螺子へ螺合することにより、雄螺子部材４１と雌螺子部４２とを結合し、雄螺子部材４１の座面部４４と雌螺子部４２の副座面部４６との間に鉄心２の束２０を挟むことができる。
尚、図２（Ａ）（Ｂ）において、鉄心２の束２０に設けられた貫通孔２１と上記軸部４３と上記筒部４５は、破線及び一点鎖線で示す通り透視した状態に描いている。
【００２０】
この例では、結束部材４は、上記ガイド４７を２枚備える。ガイド４７の夫々は金属製の板状体とするのが好ましい。
ガイド４７の夫々は、板状のレールであり、ガイド４７は、ガイド４７の長手方向について互いの間隔を開けて設けられ２つの貫通穴４７ｂを備える。両貫通穴４７ｂ間の間隔は、鉄心２の束２０の上方貫通孔２１間の間隔と等しい。
鉄心２の束２０の上方貫通孔２１と共にガイド４７の両貫通穴４７ｂへ、締結部材４０が通されることにより、ガイド４７は鉄心２の束２０へ固定される。
鉄心２の束２０への固定により、一方のガイド４７は鉄心２の束２０の前面側に配置され、他の一方のガイド４７は鉄心２の束２の後面側に配置される。
また鉄心２の束２０への固定により、ガイド４７は、長手方向を前記横方向即ち左右方向Ｌ，Ｒとする。
ガイド４７は、両貫通穴４７ｂ間において、ガイド４７の長手方向と交差する前後方向へ突出する棚状部分４７ａを備えることにより、断面略Ｌ字型の区間を有する（図２及び図３）。
【００２１】
ガイド４７には、ガイド４７と別体或いはガイド４７と一体に形成されたスペーサ４７ｃが備えられている（図２）。この例ではスペーサ４７ｃはガイドと別体に形成されものである。スペーサ４７ｃも、貫通穴４７ｂを備えたガイド４７と同様、締結部材４０を通すものである。スペーサ４７ｃには、周知のナットやリング或いはワッシャを採用することができる。
図２及び図３（Ｂ）へ示す通り、締結部材４０の雄螺子部材４１の軸部４３と雌螺子部材４２の筒部４５とを貫通孔２１へ通して螺合する前に、前記各座面部４４，４６と鉄心２の束２０との間へスペーサ４７ｃが介され、スペーサ４７ｃと鉄心２の束２０との間へガイド４７が介されることにより、締結部材４０の上記螺子後、ガイド４７は、鉄心２の束２０と間隔を開けて当該束２０へ固定される。
尚図３（Ａ）（Ｂ）において、鉄心２とスペーサ４７ｃとは省略して描いている。
【００２２】
図１へ示す通り、結束部材４は、上記ベース４８を２枚備える。
上記のベース４８の夫々は、断面が略Ｌ字の板状体である。ベース４８にもベース４８の長手方向について互いに間隔を開けて２つの貫通穴４８ｂが設けられている。両貫通穴４８ｂ間の間隔は、鉄心２の束２０の両下方貫通孔２１間の間隔と等しい。
上方締結部材４０ａと同様の構成を採る下方締結部材４０ｂによって、ベース４８の夫々も、鉄心２の束２０の前面側と後面側へ固定される。但し、ベース４８はガイド４７と異なりスペーサ４７ｃを備えず、両座面部４４，４６の座面は夫々直接鉄心２表面と当接する。
上記の通り鉄心２の束２０へ取り付けられるベース４８は、トランス１を他へ固定するネジやボルトなどを受ける治具である。
【００２３】
（端子台５ａ，５ｂ）
一次側及び二次側の端子台５ａ，５ｂは、夫々鉄心２の束２０と別体に形成されたものである。一次側及び二次側の端子台５ａ，５ｂは、夫々プラスチックなどの絶縁性の部材にて形成されたケースである。端子台５ａ，５ｂは、上記ガイド４７の両貫通穴４７ｂの間隔よりも小さな横幅の小型のケースであり、後述するコンセント台６０と共にガイド４７の両貫通穴４７ｂ間に配置できるものである（図２（Ａ））。
一次側の端子台５ａには上記一次側端子３ｍが設けられ、二次側の端子台５ｂには上記二次側端子３ｍが設けられている。
一次側及び二次側の端子台５ａ，５ｂの夫々は、備えられた端子ごとに分離できる複数の構成部材を一体に結合したものである。備える端子単位で端子台を分離及び結合できるものとすることにより、製造時において端子数の変更がある場合上記構成部材の増減により柔軟に対応することができる。特に端子数を減らす場合、上記構成部材を取り外すことによって不要なスペースを排除することができる。上記端子台として、例えば特開２０１４−２３２６１２号公報に示すトランスの端子台を採用することができる。但し当該公報に示す端子台以外の端子台を採用して実施することも可能である。また端子ごとに分離できない端子台を採用して実施することもできるのである。
前記端子台５ａ，５ｂの夫々は、ガイド４７を通す挿通部位５１を備える。この例では、挿通部位５１は、端子台５ａ，５ｂを横方向即ち左右方向Ｌ，Ｒへ貫通する貫通部位である。
但し、挿通部位５１を貫通部位に限定するものではなく、例えば、端子台の底面に溝や切欠を形成して、挿通部位５１としてもよい。
この例では、一次側の端子台５ａへ前記０Ｖ電圧端子３０ａと２００Ｖ電圧の入力端子３１ａと２２０Ｖ電圧の入力端子３２ａとが設けられ、二次側の端子台５ｂへ前記０Ｖ電圧端子３０ｂと１００Ｖ電圧の出力端子３１ｂと１１０Ｖ電圧の出力端子３２ｂとが設けられる。
【００２４】
（配線用差込接続器６）
配線用差込接続器６は、前記結束部材４へ取り付けられることにて、トランス１の二次側に設けられるものある。
この例では、配線用差込接続器６は差込みプラグ（図示しない。）と接続可能なコンセントである。以下、配線用差込接続器６をコンセント６と呼ぶ。この例では、コンセント６は、２つの導電極６ａ，６ｂと１つの接地極６ｃとを備えた三芯のコンセントである。図１及び図２の６ｘ，６ｙ，６ｚは、コンセント６におけるプラグの差込口を示している。差込口６ｘ，６ｙ，６ｚへプラグのブレードを差し込むことにより、プラグ側をコンセント６の上記導電極６ａ，６ｂ及び接地極６ｃへ物理的且つ電気的に接続することができる。
尚、コンセント６には二芯のコンセントを採用しても実施できる。ここでは、上記三芯のコンセント６を採用するものについて説明する。
【００２５】
また、コンセント６の導電極６ａ，６ｂの一方を第１導電極６ａとし他の一方を第２導電極６ｂとして説明する。
図５（Ａ）へ示す通り、この例では、第１導電極６ａは、端子台５ｂの二次側の前記出力端子３ｎのうち１００Ｖ電圧の出力端子３１ｂへブレーカｋ１を介して電気的に接続される。第１導電極６ａは第１の導線ｄ１を介してブレーカｋ１へ接続されており、ブレーカｋ１は第３の導線ｄ３を介して１００Ｖ電圧の出力端子３１ｂへ接続されている。ブレーカｋ１は、過大電流即ち設定されている電流以上の電流が流れると回路を遮断する。
第２導電極６ｂは、端子台３ｂの二次側の前記出力端子３ｎのうち前記０Ｖ電圧端子３０ｂへ第２の導線ｄ２を介して電気的に接続される。コンセント６の接地極６ｃは二次側の前記アース５３ｂへ電気的に接続される。
第１の導線ｄ１と第２の導線ｄ２の両導線の間へコンセント６と並列に、抵抗ｋ２と、発光ダイオードｋ３と、第１の導線ｄ１側から前記第２の導線ｄ２側へ向け電流を流す整流子ｋ４とが接続されている。整流子ｋ４には周知のダイオードを採用することができる。抵抗ｋ２と発光ダイオードｋ３と整流子ｋ４とは、直列に接続され、発光ダイオードｋ３は前記整流子ｋ４に対し前記第１の導線ｄ１側へ接続され、更に抵抗ｋ２は、前記発光ダイオードｋ４に対し第１の導線ｄ１側へ接続されている。
この例では、上記抵抗ｋ２と発光ダイオードｋ３と整流子ｋ４とが数珠繋ぎにされた１本の導線を第４の導線ｄ４として、当該第４の導線ｄ４が第１の導線ｄ１と第２の導線ｄ２との間へコンセント６と並列に接続されている。コンセント６へプラグが差し込まれコンセント６が通電状態になると、発光ダイオードｋ３は点灯しコンセント６から他へ電気が供給されていることを示す。
アース５３ｂは、図１へ示す通り、前記接地極６ｃと上方締結部材４０ａとを接続している。但し、アース５３ｂは、接地極６ｃを接地できれば、下方締結部４０ｂや、鉄心２、ガイド４７、ベース４８など上方締結部材４０ａ以外の部位へ接地するものとしても実施できる。
【００２６】
このトランス１は、鉄心２の束２０と別体に形成されたコンセント台６０を備える。当該ヒンセント台６０に上記コンセント６が設けられている。
前記ガイド４７へコンセント台６０を取り付けることにより、前記コンセント６を鉄心２の束２０の前面側又は後面側へ配置することができる。
この例では、コンセント台６０を鉄心２の束２０の前面側へ配置する。
【００２７】
上記のコンセント台６０は、図４へ示す、上面部６１と、正面部６２と、左側面部６３と、右側面部６４と背面部６５とを備え下方が開放されたボックス状のケースに、上記コンセント６と、ブレーカｋ１と発光ダイオードｋ３と整流子ｋ４と抵抗ｋ２が収容されたユニットである。図４において、本来付すべきハッチングは、図面の煩雑を避けるために省略する。
コンセント台６０の外観をなす上記ケースは、図２（Ａ）へ示す通り、端子台５ｂと共にガイド４７の両貫通穴４７ｂ間へ配置することができる小型のケースである。コンセント台６０の上記ケースは絶縁性を有する素材にて形成する。このような素材としてプラスチックを採用することができる。
詳しくは図２（Ｂ）へ示す通り、コンセント台６０の左右の幅（横幅ｔ３）とコンセント台６０と同じガイド４７へ取り付けられる端子台５ｂの左右の幅（横幅ｔ２）との合計は、ガイド４７の両貫通穴４７ｂ間の間隔ｔ１よりも小さい。より正確には、両横幅ｔ２，ｔ３の合計は、両貫通穴４７ｂへ装着された両締結部材４０の両座面部４４間の間隔と同じか当該両座面部４４間の間隔よりも小さい。
但し、一次側及び二次側の両端子台５ａ，５ｂを一方のガイド４７へ取り付ける場合、他方のガイド４７には、コンセント台６０のみ取り付ければよいので、この場合コンセント台６０の横幅ｔ３が上記間隔ｔ１よりも小さいものであればよく、端子台５ｂの横幅ｔ２とコンセント台６０の横幅ｔ３の合計が上記間隔ｔ１を超えるものであっても実施可能である。
【００２８】
コンセント台６０の上記上面部６１と正面部６２と左側面部６３と右側面部６４と背面部６５とにてコンセント台６０の外部と画された収容室ｓ（図４（Ｃ）（Ｈ）（Ｉ））へ、上記コンセント６と、ブレーカｋ１と発光ダイオードｋ３と整流子ｋ４と抵抗ｋ２が収容されるのである。
また、コンセント台６０はガイド４７を通す挿通部６６を備える。この例では、図４（Ｃ）へ示す通り、挿通部６６は前記背面部６５の下端に設けられて左右方向に伸び左右の側面部にて左右に開放され溝である。この他、挿通部６６は、背面部６５内を左右方向に貫通し左右の側面部６３，６４へ開口する穴としても実施できる（図示しない）。
図４（Ｃ）〜（Ｇ）へ示す通り、背面部６５の厚みは棚状部分４７ａを除くガイド４７の前後の厚みよりも大きなものとすることにより、背面部６５の下端面に上記挿通部６６を溝として形成することを可能としている。図示した例のように、背面部６５の全体の厚みをガイド４７の上記厚みより大きなものとする他、上下方向について溝を設ける範囲のみ背面部６５の厚みをガイド４７の上記厚みより大きなものとして実施することができる。
【００２９】
またこの例では、背面部６５の下端において、挿通部６６より後方側６６ｂ即ち鉄心２側は、挿通部６６の前方側６６ａより下方へ突出する突出部６６ｃを備える。挿通部６６の前方側６６ａは、上記溝の内壁であると共に、上記収容室ｓと当該溝とを画する隔壁である。当該隔壁によって、収容室ｓ内のコンセント６やブレーカｋ１などの周辺の機器や配線へガイド４７が接触するのを防ぐことができる。
また各導線の結線により、コンセント台６０のガイド４７に対する移動をある程度規制することができるが、ガイド４７からのンセント台６０の脱落を確実に防止するために、図４（Ｂ）（Ｃ）（Ｄ）（Ｈ）（Ｉ）へ示すように、上記突出部６６ｃの前面から突出する鉤部６６ｄを設けて、ガイド４７から上方へのコンセント台６０の移動を規制するのが好ましい。この鉤部６６ｄは、この例では、左側面部６３の下方に設けられているが、右側面部６４の下方へ設けるものとしても、左右の両側面部６３，６４の下方に設けるものとしても実施でき、また、突出部６６ｃにおいて左右の両側面部６３，６４の下方以外の部位に設けるものとしても実施できる。また、突出部６６ｃの左右方向の全域に突出する棚状に鉤部６６ｄを形成してよい。また、上記規制が不要であれば、鉤部６６ｄを設けずに実施することもできる。
ガイド４７を挿通部６６へ通してコンセント台６０を鉄心２の束の前方へ配置することにより、ガイド４７の棚上部分４７ａに背面部６５の下端前方側６６ａと更に左右の側面部６３，６４の下端とを載せると共に、突出部６６ｃを含む背面部６５の後方側６６ｂを上下方向についてガイド４７の後面全域に沿わせることができる。コンセント台６０の上記配置により、鉤部６６ｄは、上記棚上部分４７ａの底面側に当たりとして配置される。
【００３０】
コンセント台の上面部６１には、コンセント６を嵌め込む嵌込口６１ａと、前記ブレーカｋ１を取り付ける取付口６１ｂと、前記発光ダイオードｋ３を収容し且つ前記発光ダイオードｋ３の光をコンセント台６０外部へ放つ窓口６１ｃとが設けられている。コンセント６を前記嵌込口６１ａへ嵌め込み、前記ブレーカｋ１を前記取付口６１ｂへ取り付け、前記発光ダイオードｋ３を前記窓口６１ｃへ収容することにより、前記上面部６１を集約部として少なくとも前記コンセント６と前記ブレーカｋ１と前記発光ダイオードｋ３とを前記上面部６１側へ集約することができる。
尚図４において抵抗ｋ２、整流子ｋ４及び導線の夫々は省略する。
【００３１】
より詳しくは、コンセント６はコンセント台６０の上方から嵌込口６１ａへ嵌め込まれる。図４（Ｉ）へ示す通り、上面へ前記差込口６ｘ，６ｙ，６ｚが設けられた受部６ｄと、受部６ｄより下方に設けられたコンセント本体６ｅと、コンセント本体６ｅに設けられた一対の逆鉤部６ｆとを備える。逆鉤部６ｆは、弾力性を有する板状の部材であり、一対の逆鉤部６ｆ同士は、コンセント本体６ｅを挟んで逆ハの字状即ち、上方の先端側から下方の基端側へ向かうに従って互いの間隔を狭めるようにコンセント本体６ｅに設けられている。コンセント本体６ｅは受部６ｄの反対側から嵌込口６１ａへ通すことができる形状・寸法を有する。受部６ｄは、嵌込口６１ａよりも横方向へ食み出す座面を備えコンセント本体６ｅのように嵌込口６１ａを通過することができない。一対の逆鉤部６ｆ同士の先端間の間隔は、嵌込口６１ａの径よりも大きいものであり、上方から嵌込口６１ａへコンセント本体６ｅを挿入した際、一対の逆鉤部６ｆ同士が撓んで両先端間の間隔を狭めることにより嵌込口６１ａを通過する。一対の逆鉤部６ｆは嵌込口６１ａを通過して収容室ｓ内へ入ると先端間の間隔が元の状態に戻って、嵌込口６１ａを後戻りできなくなる。即ち両逆鉤部６ｆの先端と受部６ｄの座面との間にコンセント台６０の上面部６１が挟まれ、コンセント６はコンセント台６０に対し嵌め殺しとなる。上記にてコンセント６をコンセント台６０の上面部６１へ固定することができる。
図４（Ｉ）（Ｊ）へ示す通り、ブレーカｋ１は、ブレーカ本体６ｇと、ブレーカ本体６ｇから上方へ突出する螺子軸６ｈと、螺子軸６ｈと別体に形成された環状部材６ｉとを備える。環状部材６ｉの外径は、取付口６１ｂの径より大きい。ブレーカｋ１は、コンセント台６０の下方の開口部から収容室ｓ内へ挿入され、螺子軸６ｈは、取付口６１ｂからコンセント台６０の外部へ突出する。ブレーカ本体６ｇは、取付口６１ｂを通過できない形状・寸法に形成されている。螺子軸６ｈは雄螺子が形成されている。また、環状部材６ｉには環状の内側に雌螺子が形成されている。環状部材６ｉを螺子軸６ｈの上記コンセント台６０から外部へ突出する部位へ螺合することによって、ブレーカ本体６ｇをコンセント台６０の上面部６１へ固定することができる。この例では環状部材６ｉは、外周面にローレットやその他複数の縦筋など滑り止めが形成されたリングである。この他、環状部材６ｉにはナットを採用することができる。
発光ダイオードｋ３は、コンセント台６０の下方の開口部から収容室ｓへ収容され窓口６１ｃへ挿入される。発光ダイオードｋ３の収容室ｓ側は窓口６１ｃよりも横方向に食み出る部分を備え、発光ダイオードｋ３は窓口６１ｃを通過して上方即ちコンセント台６０の外部へ移動することはできない。
【００３２】
図２（Ｂ）、図３（Ａ）（Ｂ）へ示す通り、締結部材４０ａにてガイド４７を鉄心２の束２０へ固定する前に、端子台５ｂの挿通部位５１へガイド４７を通して端子台５ｂをガイド４７へ取り付けると共に、コンセント台６０の挿通部６６へガイド４７を通す。上記の通り挿通部位５１と挿通部６６とへガイド４７を通した後、図２（Ｂ）へ示す通り、締結部材４０ａをガイド４７の貫通穴４７ｂ及びスペーサ４７ｃへ通して、締結部材４０ａの雄螺子部材４１と雌螺子部材４２とを螺合して結合する。
上記にて、コンセント台６０及び端子台５ｂを、鉄心２の束２０の前面側へ配置することができる。勿論コンセント台６０及び端子台５ｂを、鉄心２の束２０の後面側へ配置するものとしてもよい。また、図示したもう一方の端子台５ａの、当該束２０の後面側へ配されるガイド４７への取り付けも、上記前面側のガイド４７への端子台５ｂの取り付けと同様である。
【００３３】
（変更例）
上記実施の形態において、配線用差込接続器６としてコンセントを例示した。この他トランス１の用途によって配線用差込接続器６を差し込みプラグとして実施してもよい。
また、コンセント台６０は、複数のコンセント６を備えたものとしても実施でき、トランス１の肥大化を効果的に抑制するために、１つのコンセント台６０に１つのコンセント６を設けるものとし、前後２つのガイド４７の夫々に、コンセント台６０を設けるものとして実施できる。
また、上記発光ダイオードｋ３は設けずに実施することも可能である。
上記の例では、トランス１の二次側へ、二次側端子３ｎと共に配線用差込接続器６を設けて二次側端子３ｎへ配線用差込接続器６を接続するものとしたが、二次側端子３ｎに代えて配線用差込接続器６を設けるものとしても実施できる。即ち、配線用差込接続器６を直接二次側のコイル３ｂと接続するものとしてもよい。
図示した例では、ガイド４７は長手方向を横方向として配置されるものとした。この他、ガイド４７は、トランス１の上下方向を長手方向とするよう縦に配置されるものとしても実施できる。ガイド４７を縦に配置する場合、一方の貫通穴４７ｂへ上方締結部材４０ａを、他の一方の貫通穴４７ｂへ下方締結部材４０ｂを通し、鉄心２の上方貫通孔２１と下方貫通孔２１とに固定すればよい。
図示した例では、雄螺子部材４１の座面部４４は、軸部４３と一体に形成されたものとした。この他、当該座面部４４も軸部４３と別体に形成し、雌螺子部材４２と同様軸部４３へ螺合するものとしても実施できる。
コンセント台６０は、下方が開放された略直方体のケースとした。この他、コンセント台６０は、ガイド４７を利用して端子台と共にトランス１へ取り付けることができるものであれば、上記直方体以外の形状の形状を採用することを制限するものではない。例えば四角形以外の多角柱や円柱状或いは角錐台や円錐台として形成することも可能である。また、コンセント台６０は上記収容室ｓの下方を封ずる底面部を備えるものとしても実施できる。底面部を備える場合、各導線の配線を阻害しないように、導線を通す穴や切欠を底面部へ形成すればよい。
また、一次側の端子台５ａと二次側の端子台５ｂとを別々に形成するものとしたが、一つの端子台に一次側と二次側の両端子を設けるものとしても実施できる。
上記ガイド４７は、鉄心２の束２０の前面部側と後面部側の両方に設ける他、当該前面部側と後面部側の両何れか一方にのみ設けるものとしても実施できる。
【符号の説明】
【００３４】
１    トランス
２    鉄心
３    コイル
３ｍ  一次側端子
３ｎ  二次側端子
４    結束部材
５ａ  一次側の端子台
５ｂ  二次側の端子台
６    コンセント
６ａ  （第１の）導電極
６ｂ  （第２の）導電極
６ｃ  接地極
２１    貫通孔
４０    締結部材
４０ａ  上方締結部材
４０ｂ  下方締結部材
４１    雄螺子部材
４２    雌螺子部材
４３    軸部
４４    座面部
４５    筒部
４６    副座面部
４７    ガイド
４７ａ  棚状部分
４７ｂ  貫通穴
４７ｃ  スペーサ
４８    ベース
６０    コンセント台
６１    （コンセント台６０）の上面部
６１ａ  嵌込口
６１ｂ  取付口
６１ｃ  窓口
６２    （コンセント台６０）の正面部
６３    （コンセント台６０）の左側部
６４    （コンセント台６０）の右面部
６５    （コンセント台６０）の背面部
ｄ１  第１の導線
ｄ２  第２の導線
ｄ３  第３の導線
ｄ４  第４の導線
ｋ１  ブレーカ
ｋ２  抵抗
ｋ３  発光ダイオード
ｋ４  整流子
【図１】
0003199006.tif 000003
【図２】
0003199006.tif 000004
【図３】
0003199006.tif 000005
【図４】
0003199006.tif 000006
【図５】
0003199006.tif 000007